(57)【特許請求の範囲】
【請求項１】
室内と室外との間の開口に取り付けられた下枠本体と、
障子が案内されるレールを備え、前記下枠本体の上方に配置されたレール体と、
前記下枠本体と前記レール体との間に形成され前記レール体上に進入した液体が流れ込む空隙と、
前記空隙と前記室内又は前記室外のいずれか一方とを見付け方向における所定の位置にて連通する連通孔と、
前記空隙に、見付け方向に沿って配置され、前記空隙内の前記液体を前記連通孔側に導く引導部材と、
前記連通孔により前記空隙と連通された前記室内又は前記室外のいずれか一方と、前記下枠本体とに渡って配置され、前記引導部材にて導かれた液体を前記室内又は前記室外のいずれか一方に排出する排出部材と、
前記連通孔に挿通され、前記空隙の内側及び外側に渡って配置された中継部材と、を有し、
前記中継部材の前記空隙内側の端部は、前記連通孔に挿通されて前記引導部材と近接又は接触し、
前記中継部材の前記空隙外側の部位は、前記排出部材と近接していることを特徴とする建具。
【請求項２】
請求項１に記載の建具であって、
前記排出部材の前記空隙側の端部は、前記連通孔に挿通されて前記引導部材と近接又は接触していることを特徴とする建具。
【請求項３】
請求項１または請求項２に記載の建具であって、
前記中継部材は、前記連通孔から前記空隙内への液体の進入を規制し、前記連通孔から前記空隙外への液体の移動を許容する弁機構を有することを特徴とする建具。
【請求項４】
請求項１乃至請求項３のいずれかに記載の建具であって、
前記連通孔は、見付け方向において偏った位置に配置されていることを特徴とする建具。
【発明の詳細な説明】
【技術分野】
【０００１】
本発明は、室内と室外との間の開口に設けられる建具に関する。
【背景技術】
【０００２】
室内と室外との間の開口に設けられる建具としては、浴室や建物の外周部に配置される建具がある。このような建具は、室内又は室外側からの水等の液体の進入を防いでいるが、建具の下枠はレール等の突起部を有するためレール間など下枠の表面上に水等の液体が残存してしまう畏れがある。下枠に溜まった水等はカビの発生や汚れの原因となり、美観を損なう。このため、下枠上に進入した水を排出すべく、レールの両端部や中間部に水抜き孔を設け、下枠の上表面に水抜き孔に連なる網目状の溝を設けて、下枠上に進入した水の表面張力を壊すとともに水抜き孔に導いて排出するようにした建具が知られている（例えば、特許文献１参照）。
【特許文献１】特開２００３−２２１９７２号公報
【発明の開示】
【発明が解決しようとする課題】
【０００３】
しかしながら、下枠の上表面に水抜き孔に連なる網目状の溝を設けても、下枠の上表面に進入した水を十分に排出することは難しく、特に水抜き孔から離れた位置に残留した水は排出しにくく、また、表面に残留した水分によるカビの発生や汚れにより美観が損なわれるという課題がある。
【０００４】
本発明は、かかる課題に鑑みてなされたものであり、その目的とするところは、下枠上に進入した水をより効果的に排出することが可能な建具を提供することにある。
【課題を解決するための手段】
【０００５】
かかる目的を達成するために本発明の建具は、室内と室外との間の開口に取り付けられた下枠本体と、障子が案内されるレールを備え、前記下枠本体の上方に配置されたレール体と、前記下枠本体と前記レール体との間に形成され前記レール体上に進入した液体が流れ込む空隙と、前記空隙と前記室内又は前記室外のいずれか一方とを見付け方向における所定の位置にて連通する連通孔と、前記空隙に、見付け方向に沿って配置され、前記空隙内の前記液体を前記連通孔側に導く引導部材と、前記連通孔により前記空隙と連通された前記室内又は前記室外のいずれか一方と、前記下枠本体とに渡って配置され、前記引導部材にて導かれた液体を前記室内又は前記室外のいずれか一方に排出する排出部材と、前記連通孔に挿通され、前記空隙の内側及び外側に渡って配置された中継部材と、を有し、前記中継部材の前記空隙内側の端部は、前記連通孔に挿通されて前記引導部材と近接又は接触し、前記中継部材の前記空隙外側の部位は、前記排出部材と近接していることを特徴とする建具である。
【０００６】
このような建具によれば、レール体上に進入した液体が流れ込む空隙を下枠本体とレール体との間に有しているので、レール体上すなわち下枠上に進入した液体をレール体の下側であって通常は人の目に晒されないと空隙に流すことにより下枠上に液体が残存することを抑えることが可能である。また、空隙内に、空隙と室内又は室外のいずれか一方とを連通する連通孔に液体を導く引導部材を有するので、空隙に流れ込んだ液体を、空隙内に設けられた引導部材により連通孔に導いて、室内又は室外のいずれかに排出することが可能である。このとき、連通孔は見付け方向における所定の位置に設けられているが、引導部材は空隙内に見付け方向に沿って設けられているので、連通孔から離れた位置に流れ込んだ液体であっても連通孔に導くことが可能である。
【０００７】
また、引導部材にて導かれた液体を室内又は室外に排出する排出部材は、連通孔により空隙と連通された室内又は室外と下枠本体とに渡って配置されているので、引導部材にて導かれた液体を、排出部材を伝わせて連通孔を通過させ、空隙側から室内又は室外側へ確実に排出させることが可能である。
【０００８】
また、連通孔に挿通されて空隙の内外に渡って配置された中継部材の空隙内側の端部は引導部材と近接又は接触し、また、空隙外側の部位は、排出部材と近接しているので、引導部材により導かれた空隙内の液体を表面張力により中継部材を伝わせて連通孔から空隙外に排出し、さらに空隙外に排出された液体を表面張力により排出部材を伝わせて室内又は室外側へ確実に排出させることが可能である。
【０００９】
かかる建具であって、前記排出部材の前記空隙側の端部は、前記連通孔に挿通されて前記引導部材と近接又は接触していることが望ましい。  
このような建具によれば、排出部材の空隙側の端部は、連通孔に挿通されて引導部材と近接又は接触しているので、引導部材により導かれた空隙内の液体を、表面張力により引導部材から排出部材に移動させることが可能である。
【００１０】
かかる建具であって、前記中継部材は、前記連通孔から前記空隙内への液体の進入を規制し、前記連通孔から前記空隙外への液体の移動を許容する弁機構を有することが望ましい。  
このような建具によれば、中継部材が有する弁機構により、連通孔から空隙内への液体の進入を規制し、連通孔から空隙外への液体の移動を許容する機能を備えることが可能である。このため、空隙内の液体を排出するばかりでなく、連通孔から空隙内に液体が進入することを規制することが可能である。
【００１１】
かかる建具であって、前記連通孔は、見付け方向において偏った位置に配置されていることを特徴とする。  
連通孔が見付け方向において偏った位置に配置されている場合には、連通孔から離れた位置に存在する液体は連通孔から排出され難いが、空隙内に液体を連通孔側に導く引導部材が設けられている場合には、連通孔から離れた位置に存在する液体も引導部材により連通孔に導かれることになる。このため、連通孔が見付け方向において偏った位置に配置されている場合に、より優れた効果を奏する。
【発明の効果】
【００１２】
本発明によれば、下枠上に進入した水をより効果的に排出することが可能な建具を提供することが可能である。
【発明を実施するための最良の形態】
【００１３】
まず、本発明の参考となる技術を説明するための建具について図を参照して説明する。本発明の参考となる建具として、レールに沿って見付け方向に移動し開口を閉塞可能な障子が壁部側に収容される片引きタイプの建具を例に挙げて説明する。
【００１４】
本発明の参考となる建具１０は、図１、図２に示すように、躯体５０に固定され、室内としての浴室内と室外としての脱衣室（浴室外）との間の開口に設けられた枠体１２と、枠体１２が有するレール２４ａに沿って移動自在に設けられた障子１１と、障子１１が収容される空間の浴室との壁を形成する壁部１８と、を有している。
【００１５】
以下の説明では、建具１０を浴室側から見たときに上下となる方向を上下方向、左右となる方向を左右方向または見付け方向、浴室の内外方向である奥行き方向を見込み方向として示す。
【００１６】
枠体１２は、障子１１の上下に位置する上枠１３及び下枠２０と、左右に位置する縦枠１５、１６と、枠体１２に囲まれた空間内において浴室への出入口と障子１１が収容される空間側の壁５５とを分ける縦骨１７と、を有している。上枠１３及び下枠２０には、障子１１を開閉する際に障子１１が案内されるレール２４ａが設けられている。本発明の参考となる建具１０は、浴室側から見て縦骨１７より右側に枠体１２により形成される出入口を障子１１にて閉塞する形態の建具１０であり、障子１１は縦骨１７より左側であって壁部１８より脱衣室側に設けられた領域に移動されて収容されることにより、浴室への出入口が開放される。このため、レール２４ａは、障子１１が収容される壁部１８の脱衣室側の領域を含む左右の縦枠１５、１６間のほぼ全域に渡って設けられている。
【００１７】
下枠２０は、図３に示すように、脱衣室側と浴室の床（防水パン）５２とに架け渡されて脱衣室側の躯体５０に固定された下枠本体２２と、障子１１が案内されるレール２４ａが設けられたレール体２４と、下枠本体２２の浴室側の縁部２２ａを覆い下枠上面と浴室の床５２とを繋ぐスロープを形成するアタッチメント２６と、下枠本体２２とアタッチメント２６との間の空間に設けられる樹脂製の排出部材３０と、を有している。下枠本体２２、レール体２４、アタッチメント２６はいずれも押出成形部材であるため、長手方向におけるいずれの位置における断面形状も同一である。
【００１８】
下枠本体２２は、脱衣室側の躯体５０にねじにより固定される固定部２２ｂと、固定部２２ｂの浴室側端側から垂設された脱衣室側壁部２２ｃと、固定部２２ｂより低い位置から浴室側に向かって低くなる僅かな勾配を有するように延出された底部２２ｄと、底部２２ｄにおける見込み方向のほぼ中央から上方に立設された中央壁部２２ｅとを有している。
【００１９】
底部２２ｄの見込み方向における両端側には、底部２２ｄとともに形成され、見付け方向に連通する中空部２２ｇがそれぞれ設けられている。中央壁部２２ｅの上端部は脱衣室側に張り出しており、張り出した張出部２２ｆに障子１１と隙間を塞ぐシール部材４０が設けられ、上面は固定部２２ｂの上端部とほぼ同じ高さになるように形成されている。
【００２０】
底部２２ｄには中央壁部２２ｅの脱衣室側に張出部２２ｆの下方に位置させて引導部材としてのモヘヤ３８が設けられている。ここで、モヘヤ３８は、繊維が起毛状（ブラシ状）に設けられる部材であって、建具等において一般的にエアタイト材、止水材、虫等の浸入を防ぐ防虫材等として用いられる部材を示している。
【００２１】
また、中央壁部２２ｅには、浴室との出入口側の領域であって見付け方向におけるほぼ中央に、中央壁部２２ｅの浴室側と脱衣室側とを連通する連通孔２２ｉが形成されている。連通孔２２ｉは、底部２２ｄの上面が中央壁部２２ｅの浴室側と脱衣室側とにおいて繋がるように形成されている。  
脱衣室側壁部２２ｃの上端部には浴室側に突出する突起部２２ｎが形成されている。
【００２２】
上述したように、下枠本体２２は押出成形部材なので、固定部２２ｂ、底部２２ｄ、中央壁部２２ｅ、シール部材４０及びモヘヤ３８は長手方向の全域に渡って設けられている。このため、下枠本体２２には、脱衣室側壁部２２ｃ、底部２２ｄ、中央壁部２２ｅにて、固定部２２ｂ及び中央壁部２２ｅの上面より低く形成された凹部２２ｈが形成されている。この凹部２２ｈにはレール体２４が着脱自在に上方から収容される。
【００２３】
レール体２４は、障子１１が案内されるレール２４ａと、レール２４ａが立設されている水平板部２４ｂと、水平板部２４ｂの下面から垂設された浴室側支持壁部２４ｃ及び脱衣室側支持壁部２４ｄと、浴室側支持壁部２４ｃの上端側から浴室側に向かってほぼ水平方向に延設された延設部２４ｅと、脱衣室側支持壁部２４ｄと繋がって水平板部２４ｂより上方に設けられた鉛直壁部２４ｆとを有している。浴室側支持壁部２４ｃ及び脱衣室側支持壁部２４ｄは、レール体２４が凹部２２ｈに収容された際にレール体２４と下枠本体２２との間に空隙２８を形成すべく、水平板部２４ｂの下面と凹部２２ｈの底面とが間隔を隔てて配置された際に水平板部２４ｂの上面が水平になるように形成されている。延設部２４ｅは、その上面が水平板部２４ｂの上面より僅かに低くなるように形成され、レール体２４が凹部２２ｈに収容された際に延設部２４ｅが下枠本体２２の張出部２２ｆの下側に入り込むように形成されている。
【００２４】
そして、レール体２４は、延設部２４ｅの先端側から傾いた状態で凹部２２ｈに入り込ませ、脱衣室側支持壁部２４ｄの下端を凹部２２ｈ内に収容すべくレール体２４を回転させることにより浴室側支持壁部２４ｃ及び脱衣室側支持壁部２４ｄを底部２２ｄに当接させると、水平板部２４ｂがほぼ水平をなしレール２４ａが鉛直に向けられた状態で下枠本体２２の上方にレール体２４が配置される。このとき、延設部２４ｅが張出部２２ｆの下側に入り込み、鉛直壁部２４ｆの上端側が脱衣室側壁部２２ｃの突起部２２ｎに対向されてレール体２４が上方に外れ難くなるとともに、張出部２２ｆの上面、レール２４ａの上縁、鉛直壁部２４ｆの上面、固定部２２ｂの上面がほぼ同一の水平面をなすように配置される。
【００２５】
アタッチメント２６は、張出部２２ｆの上面と浴室の床５２との段差を緩やかなスロープにて繋ぐための部材であり、脱衣室側には中央壁部２２ｅから浴室側に向かって突出された突出支持部２２ｋが挿入される支持凹部２６ａと、支持凹部２６ａより下方に延出されて浴室側に突出され、排出部材３０が係止される係止部２６ｂとを有している。また、アタッチメント２６の浴室側の先端部には曲面が設けられるとともに、下面には排出部材３０浴室の床５２との間をシールするシール材４１が設けられ、シール材４１の脱衣室側に、排出部材３０の浴室側端部３０ｅが挿入される挿入部２６ｃが設けられている。
【００２６】
排出部材３０は、図３〜図５に示すように、ほぼ平坦な板状の排出部本体と３０ａ、排出部本体３０ａの下面に見込み方向に沿って設けられたリブ状の排水突部３０ｂと、排出部本体３０ａの上面から突出されてアタッチメント２６の係止部２６ｂに係止される係止片３０ｃとを有している。排水突部３０ｂは、見付け方向に間隔を隔てて５本設けられており、各々の排水突部３０ｂには、見込み方向における位置を合わせて３箇所に窪み３０ｄが設けられている。
【００２７】
排出部材３０は、シール材４０、４１が取り付けられたアタッチメント２６の挿入部２６ｃに排出部材３０の浴室側端部３０ｅが挿入された後、挿入された浴室側端部３０ｅを中心として排出部材３０を回転させつつアタッチメント２６近接させ、係止片３０ｃを係止部２６ｂに係止されてアタッチメント２６に取り付けられる。
【００２８】
排出部材３０が取り付けられたアタッチメント２６は、脱衣室側の躯体５０に固定され浴室の床５２に載置された下枠本体２２の連通孔２２ｉに排出部材３０の脱衣室側を挿通するとともに、支持凹部２６ａに突出支持部２２ｋが挿入されて係止されることにより、図３に示すように下枠本体２２と浴室の床５２とに渡って配置される。このとき、連通孔２２ｉに挿通された排出部材３０の脱衣室側（空隙側）の端部３０ｆが、レール体２４と下枠本体２２との間の空隙２８に設けられたモヘヤ３８と接触する。また、排出部材３０に設けられた各排水突部３０ｂは、空隙２８から繋がった底部２２ｄの上面にほぼ沿って当接される。
【００２９】
本発明の参考となる建具１０は、浴室側から下枠２０側に水等が進入すると、下枠本体２２の凹部２２ｈに流れ込みレール体２４上に至る。レール体２４上に進入した水等は、凹部２２ｈとレール体２４との間から、下枠本体２２とレール体２４との間の空隙２８に流れ込む。空隙２８内にはモヘヤ３８が見付け方向に沿って設けられているので、空隙２８内に流れ込んだ水等は、表面張力によりモヘヤ３８に吸収される。一方、連通孔２２ｉに挿通された排出部材３０はモヘヤ３８と接触しているので、モヘヤ３８に吸収された水等は排出部材３０を伝って浴室側へ流れ、浴室の床５２に排出される。モヘヤ３８に吸収された水等が浴室の床５２に排出されると、空隙２８内の水等が順次モヘヤ３８に吸収され連通孔２２ｉ側へ導かれることになる。このため、連通孔２２ｉから離れた位置に流れ込んだり溜まった水等を、空隙２８内に残留しようとする表面張力を破壊してモヘヤ３８に吸収させ、連通孔２２ｉ側に導いて浴室側に排出することが可能である。よって、浴室から下枠２０に流れ込んだ水等は空隙２８を通り、モヘヤ３８及び排出部材３０を介して浴室に排出されるので、空隙２８内の全域において水等をより早く浴室側へ移動させることが可能である。このため、人の目に晒され易いレール体２４上に水分が残存し難いので、カビ等の発生や汚れが抑えられ、美観に優れた建具１０を提供することが可能である。
【００３０】
また、本発明の参考となる建具１０は、排出部材３０が連通孔２２ｉに挿通され空隙２８と浴室の床５２とに渡って配置されているので、モヘヤ３８にて導かれた水等を、排出部材３０を伝わせて連通孔２２ｉを通過させ、空隙２８側から浴室側へ確実に排出させることが可能である。
【００３１】
上記本発明の参考となる建具においては、排出部材３０が連通孔２２ｉに挿通されてモヘヤ３８に接触している例について説明したが、排出部材３０とモヘヤ３８との間に、浴室側から進入する水等を規制するための弁機構８０を備えた第２実施形態について説明する。以下、上記本発明の参考となる建具と同様の構成部分に同一符号を付して重複する説明を省略して述べる。
【００３２】
本発明の一実施形態の建具１１０は、図６、図７に示すように、排出部材３０の脱衣室側の端部が中央壁部２２ｅの浴室側に位置しており、排出部材３０とモヘヤ３８との間に中継部材７０が設けられている。
【００３３】
中継部材７０は、連通孔２２ｉに脱衣室側から挿通されて中央壁部２２ｅの浴室側と脱衣室側とに渡って設けられている。中央壁部２２ｅより浴室側には、連通孔２２ｉを挿通された２つの流路７２が設けられている。２つの流路７２は、見付け方向に間隔を隔てて設けられており、各流路７２は見込み方向に沿って形成され連通孔２２ｉの見付け方向における中央側に位置する内壁部７２ａと、見込み方向に沿って形成され連通孔２２ｉの見付け方向における外側に位置する外壁部７２ｂと、内壁部７２ａと外壁部７２ｂとの上端部を繋ぐ天部７２ｃとを有している。外壁部７２ｂの見付け方向における外側面と天部７２ｃの上面にはそれぞれ突起７２ｄが設けられている。
【００３４】
中央壁部２２ｅより脱衣室側には、２つの流路７２と繋がり中央壁部２２ｅの脱衣室側の面と対面する浴室側壁部７３と、浴室側壁部７３と間隔を隔てて対向する脱衣室側壁部７４と、浴室側壁部７３と脱衣室側壁部７４との上端部を天部７２ｃより高い位置にて繋ぐ上面部７５と、脱衣室側壁部７４から脱衣室側に突設された中継突出部７６と、弁機構８０を構成するフラッパ７７とを有している。
【００３５】
前述した２つの流路７２の内壁部７２ａは、脱衣室側に延設されており脱衣室側壁部７４と繋がっている。このため、中継部材７０の見付け方向における外側から脱衣室側壁部７４に伝って中継部材７０内に進入した水等は流路７２から排出されることになる。そして、２つの流路７２の内壁部７２ａ間には、上端側が回動自在に支持されたフラッパ７７が設けられている。
【００３６】
浴室側壁部７３と脱衣室側壁部７４とは、連通孔２２ｉの見付け方向の幅より広く形成されており、浴室側壁部７３の見付け方向における流路７２の間は連通孔２２ｉと同様に浴室側と脱衣室側とが連通されるように開放された浴室側開放部７３ａが設けられている。また、脱衣室側壁部７４も浴室側開放部７３ａとほぼ同様の幅にて、脱衣室側壁部７４の高さ方向における半分より下側が開放された脱衣室側開放部７４ａが設けられている。
【００３７】
脱衣室側開放部７４ａを形成する脱衣室側壁部７４の縁部からは中継突出部７６が脱衣室側に突出されている。中継突出部７６は、脱衣室側開放部７４ａを形成する脱衣室側壁部７４の水平な縁部から脱衣室側に突出され、ほぼ水平をなす板状の突出板部７６ａと、突出板部７６ａの下面から垂下されている７本のリブ７６ｂとを有している。７本のリブ７６ｂは、見込み方向に沿って配置され、見付け方向に互いに間隔を隔てて設けられている。そして、７本のリブ７６ｂのうち見付け方向において両端に位置する２本のリブ７６ｂは、脱衣室側開放部７４ａを形成する脱衣室側壁部７４の鉛直方向の縁部から脱衣室側に突出されている。
【００３８】
中継部材７０は、脱衣室側から２つの流路７２を連通孔２２ｉに挿通させることにより、突起７２ｄと浴室側壁部７３との間に中央壁部２２ｅが配置されて下枠本体２２に取り付けられる。下枠本体２２に取り付けられた状態で、中継突出部７６の脱衣室側（空隙２８内側）の端部７６ｃがモヘヤ３８と接触し、２つの流路７２間に排出部材３０の脱衣室側（空隙２８側）の端部３０ｆが入り込んで、中継部材７０の空隙外側の部位となる内壁部７２ａと排出部材３０の空隙２８側の端部３０ｆとが近接している。また、フラッパ７７は、連通孔２２ｉより僅かに脱衣室側にて回動自在に垂下されている。
【００３９】
そして、浴室側からレール体２４上に進入した水等が下枠本体２２とレール体２４との間の空隙２８に流れ込みモヘヤ３８に吸収されると、モヘヤ３８に吸収された水等は、モヘヤ３８と接触している中継部材７０を伝っていく。中継部材７０を伝った水等は、隣接するリブ７６ｂ間に進入し、脱衣室側開放部７４ａを抜けて浴室側開放部７３ａに排出される。このとき、脱衣室側開放部７４ａと浴室側開放部７３ａとの間には、上端部が回動自在に支持されたフラッパ７７が設けられているので、リブ７６ｂ間に進入した水が脱衣室側開放部７４ａから流出する際にフラッパ７７が回動されて水等が排出される。そして、浴室側開放部７３ａに排出された水等は排出部材３０を伝って浴室側へ流れ、浴室の床５２に排出される。モヘヤ３８に吸収された水等が浴室の床５２に排出されると、空隙２８内の水等が順次モヘヤ３８に吸収され連通孔２２ｉ側へ導かれることになる。このため、連通孔２２ｉから離れた位置に流れ込んだり溜まった水等であっても連通孔２２ｉ側に導いて浴室側に排出することが可能である。
【００４０】
一方、浴室にてバスタブ等から溢れた水がアタッチメント２６の下から空隙２８側へ進入する畏れもあるが、本実施形態の建具１１０に設けられたフラッパ７７が脱衣室側壁部７４と協働して弁機構８０として機能してため水等の空隙２８側への進入が抑えられている。具体的には、フラッパ７７は通常自重により支点を中心に垂れ下がっている。このときフラッパ７７の重心が僅かに浴室側に設定されているため、フラッパ７７には脱衣室側に僅かに回動する力が作用している。ところが、フラッパ７７の脱衣室側には脱衣室側壁部７４が存在するため、フラッパ７７は脱衣室側壁部７４に当接されてほぼ鉛直に位置している。これにより、フラッパ７７に外力が作用しない通常の状態では、連通孔２２ｉの浴室側と脱衣室側とを仕切るように配置されている。そして、脱衣室側からリブ７６ｂ間等を伝って脱衣室側開放部７４ａに水等が至ると、水により回動されてフラッパ７７が開いて、連通孔２２ｉの浴室側と脱衣室側とが連通されて水等が浴室側に排出される。一方、浴室側からアタッチメント２６の下を通って連通孔２２ｉ側に水が進入した際には、進入した水等により押されたフラッパ７７には、脱衣室側に回動する力が作用するが、フラッパ７７は脱衣室側壁部７４に当接されて回動されず、連通孔２２ｉの浴室側と脱衣室側とが仕切られた状態が維持される。このため、連通孔２２ｉを通って浴室側から脱衣室側に進入する水を規制することが可能である。
【００４１】
本実施形態の建具１１０によれば、連通孔２２ｉに挿通されて空隙２８の内外に渡って配置された中継部材７０の空隙内側の端部となる中継突出部７６の端部７６ｃはモヘヤ３８と接触し、また、空隙外側の部位となる内壁部７２ａは、排出部材３０と近接しているので、モヘヤ３８により導かれた空隙２８内の水等を表面張力により中継部材７０を伝わせて連通孔２２ｉから空隙２８外に排出し、さらに空隙２８内に排出された水等を表面張力により排出部材３０を伝わせて浴室側へ確実に排出させることが可能である。
【００４２】
また、中継部材７０が有する弁機構８０により、連通孔２２ｉから空隙２８内への水等の進入を規制し、連通孔２２ｉから空隙２８外への水等の移動を許容することが可能である。このため、空隙２８内の水等の液体を排出するばかりでなく、連通孔２２ｉから空隙２８内に水等の液体が進入することを規制することが可能である。
【００４３】
上記本実施形態の建具１１０は、開口を閉塞可能な障子１１が壁部側に収容される片引きタイプの建具１１０なので、下枠２０は見付け方向における半分の領域しか浴室側に露出しない。このため、連通孔２２ｉは、浴室に臨むように見付け方向において偏った位置に配置される。すなわち、障子１１が収容される壁部１８側の領域は連通孔２２ｉから遠い領域となる。さらに、施工現場の状態や施工状態によっては、障子１１が収容される壁部１８側の領域が連通孔２２ｉが設けられている領域より低くなる場合がある。これらのような場合であっても、本実施形態のように、空隙２８内に見付け方向に沿って水等を連通孔２２ｉ側に導くモヘヤ３８が設けられていれば、連通孔２２ｉから離れた位置に存在する水の表面張力を破壊してモヘヤ３８に吸収させて連通孔２２ｉに導かれることになる。このため、本実施形態のように連通孔２２ｉが見付け方向において偏った位置に配置されている場合に、より優れた効果を奏する。
【００４４】
上記実施形態においては、モヘヤ３８と排出部材３０及び中継部材７０の空隙２８側の端部とが接触するように配置した例について説明したが、必ずしも接触しなくとも近接して水等が伝わるように配置されていれば構わない。また、排出部材３０と中継部材７０とが近接するように配置した例について説明したが、接触していても構わない。
【００４５】
また、上記実施形態においては、引導部材をモヘヤ３８としたが、これに限るものではない。例えば、フェルト、スポンジ、発泡樹脂、親水シートなど引水を期待できる部材であれば構わない。
【００４６】
また、上記実施の形態においては、片引きタイプの建具を例に挙げて説明したが、これに限定されるものではなく、例えば、折れ戸や開き戸を備えた建具であっても構わない。
【００４７】
また、建具として、浴室用の建具を例に挙げて説明したがこれに限定されるものではなく、例えば、シャワー室用の建具やプール用の建具であってもよい。本発明は、室内と室外との間に位置するどの建具にも、適用可能である。
【００４８】
なお、上記実施形態は、本発明の理解を容易にするためのものであり、本発明を限定して解釈するためのものではない。本発明は、その趣旨を逸脱することなく、変更、改良され得ると共に、本発明にはその等価物が含まれることはいうまでもない。
【図面の簡単な説明】
【００４９】
【図１】本発明の参考となる建具の浴室側から観た外観図である。
【図２】本発明の参考となる建具の平断面図である。
【図３】本発明の参考となる建具の縦断面図である。
【図４】本発明の参考となる建具の下枠内を示す平断面図である。
【図５】図５ａは、本発明の参考となる建具の排出部材の平面図である。図５ｂは、本発明の参考となる建具の排出部材の側面図である。図５ｃは、本発明の参考となる建具の排出部材を下から見た図である。
【図６】本発明の一実施形態に係る建具の縦断面図である。
【図７】図７ａは、本発明の一実施形態に係る中継部材の平面図である。図７ｂは、本発明の一実施形態に係る中継部材の側面図である。図７ｃは、本発明の一実施形態に係る中継部材を下から見た図である。
【図８】図８ａは、本発明の一実施形態に係る中継部材のフラッパが閉じた状態を示す斜視図である。図８ｂは、本発明の一実施形態に係る中継部材のフラッパが開いた状態を示す斜視図である。
【符号の説明】
【００５０】
１０  建具、１１  障子、１２  枠体、
２０  下枠、２２  下枠本体、２２ｉ  連通孔、
２４  レール体、２４ａ  レール、２８  空隙、
３０  排出部材、３０ｆ  排出部材の空隙側の端部、
３８  モヘヤ、７０  中継部材、７２ａ  内壁部、
７６  中継突出部、７６ｃ  中継突出部の空隙内側の端部、
８０  弁機構、１１０  建具
【図１】
0004757849.tif 000002
【図２】
0004757849.tif 000003
【図３】
0004757849.tif 000004
【図４】
0004757849.tif 000005
【図５】
0004757849.tif 000006
【図６】
0004757849.tif 000007
【図７】
0004757849.tif 000008
【図８】
0004757849.tif 000009